(57)【要約】      （修正有）【課題】液体還元剤タンクが機体に取り付けられた状態で液体還元剤タンクに液体還元剤が適切に補給されるようにする小旋回型ショベルを提供すること。【解決手段】小旋回型ショベルは、下部走行体と、下部走行体に旋回可能に搭載される上部旋回体と、上部旋回体の右前部に配置される尿素水タンクと、上部旋回体に設けられる、尿素水タンクを覆うカバー２２と、を備える。カバー２２は、尿素水タンクの給液口に対応する第１開口部ＯＰ１と、尿素水タンクのレベルゲージ３６Ｇに対応する第２開口部ＯＰ２とを有する。【選択図】図６
2018035741.tif 000002
【特許請求の範囲】
【請求項１】
下部走行体と、
前記下部走行体に旋回可能に搭載される上部旋回体と、
前記上部旋回体の右前部に配置される液体還元剤タンクと、
前記上部旋回体に設けられる、前記液体還元剤タンクを覆うカバーと、を備え、
前記カバーは、前記液体還元剤タンクの給液口に対応する第１開口部と、前記液体還元剤タンクのレベルゲージに対応する第２開口部とを有する、
小旋回型ショベル。
【請求項２】
前記カバーは、前記上部旋回体の右前部を覆う右前面カバーと、前記上部旋回体の右側部を覆う右側面カバーとを含み、
前記第１開口部は、前記右前面カバーに形成され、
前記第２開口部は、前記右前面カバーと前記右側面カバーの間の隙間に形成される、
請求項１に記載の小旋回型ショベル。
【請求項３】
前記カバーは、前記上部旋回体の右前部を覆う右前面カバーを含み、
前記第１開口部及び前記第２開口部は、前記右前面カバーに形成される、
請求項１に記載の小旋回型ショベル。
【請求項４】
前記第１開口部には鍵付きのドアが取り付けられている、
請求項１乃至３の何れか一項に記載の小旋回型ショベル。
【請求項５】
前記第１開口部及び前記第２開口部は略同じ方向に開口している、
請求項１に記載の小旋回型ショベル。
【請求項６】
前記右前面カバーには前記第１開口部よりも下方にステップが取り付けられている、
請求項２又は３に記載の小旋回型ショベル。
【発明の詳細な説明】
【技術分野】
【０００１】
本発明は、旋回半径の小さな上部旋回体を有する小旋回型ショベルに関する。
【背景技術】
【０００２】
近年、ディーゼルエンジンを搭載した油圧ショベル等の建設機械は、高次の排ガス規制に対応すべく、ディーゼルエンジンの排気系に排ガス処理装置を設置している。ディーゼルエンジンからの排ガスは、排気管の下流側に設けたＮＯｘ還元触媒を通って大気中に放出される。
【０００３】
上述の排ガス処理装置は、液体還元剤として尿素水を用いる尿素選択還元型のＮＯｘ処理装置であることが多い。特許文献１に開示された油圧ショベルでは、尿素水は液体還元剤タンクとしての尿素水タンクに貯留され、ポンプによりディーゼルエンジンの排気経路内に噴射される。
【０００４】
また、狭い空間で作業するために、上部旋回体の旋回半径比が小さくなるよう構成された、いわゆる小旋回型ショベルが知られている。
【０００５】
小旋回型ショベルの上部旋回体は、旋回半径比を小さくすべくコンパクトな構造となるように設計されている。また、液体還元剤タンクは、液体還元剤の補給が容易な場所に設置される必要がある。そのため、小旋回型ショベルでは、液体還元剤タンクを設置するスペースの確保が難しい場合がある。この点に関し、特許文献１に開示された油圧ショベルは、尿素水を複数の小容量の尿素水タンクに分散して貯留することで、空きスペースを効率的に利用できるようにしている。
【先行技術文献】
【特許文献】
【０００６】
【特許文献１】特開２０１０−２６１３７３号公報
【発明の概要】
【発明が解決しようとする課題】
【０００７】
しかしながら、特許文献１に開示された油圧ショベルでは、各尿素水タンクへの尿素水の補給が煩雑となるおそれがある。各尿素水タンクは、基本的に、油圧ショベルから取り外された状態で補給されるためである。また、各尿素水タンクは、レベルゲージを備えていない。そのため、作業者は、尿素水タンクが油圧ショベルの機体に取り付けられた状態で尿素水を補給すると、尿素水タンクが満たされたか否かを確認できず、尿素水を溢れさせてしまうおそれがある。
【０００８】
上述の点に鑑みると、液体還元剤タンクが機体に取り付けられた状態で液体還元剤タンクに液体還元剤が適切に補給されるようにする小旋回型ショベルを提供することが望ましい。
【課題を解決するための手段】
【０００９】
上述の目的を達成するために、本発明の実施形態による小旋回型ショベルは、下部走行体と、前記下部走行体に旋回可能に搭載される上部旋回体と、前記上部旋回体の右前部に配置される液体還元剤タンクと、前記上部旋回体に設けられる、前記液体還元剤タンクを覆うカバーと、を備え、前記カバーは、前記液体還元剤タンクの給液口に対応する第１開口部と、前記液体還元剤タンクのレベルゲージに対応する第２開口部とを有する。
【発明の効果】
【００１０】
上述の手段により、液体還元剤タンクが機体に取り付けられた状態で液体還元剤タンクに液体還元剤が適切に補給されるようにする小旋回型ショベルを提供できる。
【図面の簡単な説明】
【００１１】
【図１】本発明の実施形態による小旋回型ショベルの側面図である。
【図２】図１に示す小旋回型ショベルの平面図である。
【図３】上部旋回体の内部を示す平面図である。
【図４】上部旋回体の右前部の内部を示す斜視図である。
【図５】上部旋回体の右前部を示す側面図である。
【図６】尿素水タンクのレベルゲージとカバーの関係の一例を示す図である。
【図７】尿素水タンクのレベルゲージとカバーの関係の別の一例を示す図である。
【図８】尿素水タンクのレベルゲージとカバーの関係の更に別の一例を示す図である。
【発明を実施するための形態】
【００１２】
図面を参照しながら本発明の実施形態について説明する。図１は本発明の実施形態による小旋回型ショベルの側面図である。図２は、図１に示すショベルを上から見た平面図である。以下、本明細書では、小旋回型ショベルを単に「ショベル」と称することもある。ショベルの下部走行体１には旋回機構２を介して上部旋回体３が旋回可能に搭載される。上部旋回体３にはブーム４が取り付けられる。ブーム４の先端にはアーム５が取り付けられ、アーム５の先端にはエンドアタッチメントとしてのバケット６が取り付けられる。エンドアタッチメントとして、法面用バケット、浚渫用バケット等が用いられてもよい。
【００１３】
ブーム４、アーム５、及びバケット６は、アタッチメントの一例として掘削アタッチメントを構成し、ブームシリンダ７、アームシリンダ８、及びバケットシリンダ９によりそれぞれ油圧駆動される。
【００１４】
上部旋回体３にはキャビン１０が設けられ、且つエンジン１１等の動力源が搭載される。キャビン１０内には、運転席、ショベル操作に必要な各種操作装置、及びショベルの駆動を制御するコントローラ等が設置されている。
【００１５】
本明細書では、上部旋回体３の前側（Ｚ１側）は、上部旋回体３の中央から見てブーム４が取付けられている側である。上部旋回体３の左側（Ｘ２側）は、前後軸で分割される２つの側のうち、上部旋回体３の中央から見てキャビン１０が設けられている側である。
【００１６】
ブーム４は、上部旋回体３のほぼ中央にあるブーム支持ブラケット１４に回動可能に支持される。具体的には、ブーム４は、右側ブラケット１４Ｒと左側ブラケット１４Ｌとの間に挟まれた状態で、右側ブラケット１４Ｒ、ブーム４、及び左側ブラケット１４Ｌを貫通するブームフートピン４００により支持される。
【００１７】
キャビン１０は、上部旋回体３の前側（Ｚ１側）で且つブーム４の左側（Ｘ２側）に設置されている。上部旋回体３の前側（Ｚ１側）で且つブーム４の右側（Ｘ１側）にはカバー２２が取り付けられている。カバー２２の後側（Ｚ２側）には、燃料タンク２４と作動油タンク２６が設置されている。図２の例では、燃料タンク２４が外側（Ｘ１側）に設置され、作動油タンク２６が内側（Ｘ２側）に設置されている。
【００１８】
カバー２２の上面及び作動油タンク２６の上面は、メンテナンス時等に作業者の通路として使用される。一方、燃料タンク２４の上面は、作動油タンク２６の上面より高い位置にあり、作業者の通路としては使用されない。
【００１９】
上部旋回体３の外周部分には、カバー２２から燃料タンク２４にかけて、ハンドレール６０が取り付けられている。作業者は上部旋回体３の上に登る際にハンドレール６０を利用する。ハンドレール６０は燃料タンク２４のところまで延在する。ハンドレール６０が終端した位置からは、ハンドレール６０の延長方向にハンドレール７０が延在する。ハンドレール７０は燃料タンク２４の上面に取り付けられており、燃料タンク２４の上面の角に沿って内側（Ｘ２側）に向けて屈曲している。ハンドレール７０は、作動油タンク２６の上面に作業者が乗ったときに作業者が掴まることのできるような位置に設けられる。
【００２０】
燃料タンク２４及び作動油タンク２６の後側（Ｚ２側）には、排ガス処理装置を覆うＳＣＲカバー９０が設けられている。ＳＣＲカバー９０の燃料タンク２４に近い部分には、排ガス処理装置から延出する排気筒（マフラー）９２が突出している。
【００２１】
カバー２２、燃料タンク２４、作動油タンク２６、ハンドレール６０、ハンドレール７０、及びＳＣＲカバー９０は、上部旋回体３の右側に設置されている。
【００２２】
上部旋回体３の中央には、上述のようにブーム４が回動可能に取り付けられている。上部旋回体３の後部は円弧形状を有する。円弧の半径は、ショベルの旋回半径が所定値以下となるように制限されている。上部旋回体３の後部の中央には、カウンタウェイト２８が取り付けられている。そして、カウンタウェイト２８とブーム４との間のスペースに、エンジン１１が設置されている。エンジン１１の上部は、エンジンフード３０で覆われている。
【００２３】
エンジンフード３０の前側（Ｚ１側）には、エンジンフード３０を開けてエンジン１１のメンテナンス作業を行なう際に操作者が通る通路３２が設けられる。通路３２の前側には、通路３２より低い位置に作業用足場３４が設けられている。作業用足場３４は作動油タンク２６の横に配置された旋回モータを覆うように設けられ、旋回モータカバーとしても機能する。作業者は、通路３２に登るときに、まず低い方の作業用足場３４に乗ってから、高いほうの通路３２に登る。このとき、作業者はハンドレール７０の鉛直方向に延在する部分に手をかけることで、作業用足場３４から通路３２まで容易に登ることができる。
【００２４】
次に図３〜図５を参照し、上部旋回体３における各構成部品の配置について説明する。図３は上部旋回体３の内部を示す平面図である。図３では、カバー２２、ＳＣＲカバー９０、エンジンフード３０等のカバー類が全て取り外されている。図４は上部旋回体３の右前部を右斜め前の位置から見たときの上部旋回体３の斜視図である。図４では、カバー２２が取り外されている。図５は、上部旋回体３の右前部を右側の位置から見たときの上部旋回体３の側面図である。図５の破線（隠れ線）はカバー２２等で覆われた内部構成部品を透視的に示している。
【００２５】
図３に示すように、上部旋回体３の底部を構成する旋回フレーム３００の上には、液体還元剤タンクとしての尿素水タンク３６が設置されている。尿素水タンク３６の後側（Ｚ２側）には、コントロールバルブ３７、燃料タンク２４、及び作動油タンク２６が設置されている。旋回フレーム３００は、図５に示すように、底板３００ａと、底板３００ａの上に設置される梁部３００ｂとで構成されている。尿素水タンク３６及びコントロールバルブ３７は底板３００ａ上に設置されている。底板３００ａは、２５ｍｍ程度の厚さを有している。
【００２６】
尿素水タンク３６は、図４に示すように、その前面、上面、及び後面がタンク用ケーシング部１００で部分的に覆われている。尿素水タンク３６の右前部にはレベルゲージ３６Ｇが設けられている。レベルゲージ３６Ｇは、尿素水タンク３６内の尿素水のレベルを示すゲージである。図４の例では、レベルゲージ３６Ｇは、尿素水が許容最大量まで補給されたときの液面レベルが見えるように構成されている。
【００２７】
タンク用ケーシング部１００には、液体還元剤供給ポンプとしての尿素水ポンプ３８が取り付けられている。尿素水ポンプ３８には、液体還元剤供給パイプとしての尿素水パイプ３９が接続されている。尿素水パイプ３９は、図３に示すように、右側ブラケット１４Ｒと作動油タンク２６との間に設置されて排ガス処理装置５０と接続される。この構成により、尿素水タンク３６の尿素水が排ガス処理装置５０へ供給されてエンジン１１の排ガスが処理される。
【００２８】
エンジン１１は、上部旋回体３の後部の中央に設置されている。エンジン１１のファンが設けられた側であるエンジン１１の左側（Ｘ２側）には、エンジン用冷却器４０及びインタクーラ４２が設置されている。インタクーラ４２の更に外側（Ｘ２側）には、エンジン１１に供給する空気を濾過するためのエアフィルタ４４が設置されている。このように、エンジン１１の左側（Ｘ２側）にはエンジン１１に付随する様々な機器が設置されている。そのため、排ガス処理装置５０のような大きな機器を配置するスペースを確保するのは難しい。
【００２９】
そこで、本実施形態では、排ガス処理装置５０は、エンジン１１の右側（Ｘ１側）の不図示のポンプ室の上方に設置されている。ただし、排ガス処理装置５０は比較的大きな装置であるため、その長手方向軸が上部旋回体３の前後軸に対して傾斜するように、斜めに設置されている。このように、排ガス処理装置５０を斜めに設置することにより、排ガス処理装置５０の全体を、ポンプ室の上方において、上部旋回体３の旋回半径内に収容することができる。
【００３０】
また、排ガス処理装置５０をポンプ室の上方に配置することで、排ガス処理装置５０をエンジン１１に対して比較的低い位置に設置することができる。このため、排ガス処理装置５０から上方に延出する排気筒（マフラー）９２の高さを低くすることができる。
【００３１】
ここで、排ガス処理装置５０について簡単に説明する。本実施形態では、エンジン１１としてディーゼルエンジンが用いられているため、排ガス規制をクリアするために排ガス処理装置５０を設ける必要がある。排ガス処理装置５０は、エンジン１１の排気系に設置され、エンジン１１の排ガスを処理して排ガス規制をクリアした排ガスに変換する。このようにして浄化された排ガスが、排ガス処理装置５０の排気筒（マフラー）９２から大気に放出される。
【００３２】
次に、上部旋回体３の右側（Ｘ１側）で且つ前側（Ｚ１側）に設置される尿素水タンク３６、コントロールバルブ３７等の具体的な構成と配置について説明する。
【００３３】
コントロールバルブ３７は、カバー２２を支持するカバーフレーム部８０の内側に設置されている。カバーフレーム部８０は、図４に示すように、底板３００ａから立ち上がる前側（Ｚ１側）の２本の縦フレーム８１と、後側（Ｚ２側）の２本の縦フレーム８２とを有している。縦フレーム８１は、その高さが縦フレーム８２の高さより低くなるように形成され、縦フレーム８１と縦フレーム８２とは斜めに延びる繋ぎフレーム８３で連結されている。左右一対の繋ぎフレーム８３は横フレーム８４で連結されている。また、左右一対の縦フレーム８２は横フレーム８５で連結されている。カバーフレーム部８０の内側にはコントロールバルブ３７が設置されている。
【００３４】
尿素水タンク３６は、図３に示すように、カバーフレーム部８０の前側（Ｚ１側）の領域Ｓ内に設置されている。領域Ｓは、従前においては工具箱として利用されていた領域（スペース）である。そのため、領域Ｓに尿素水タンク３６を設置する際に上部旋回体３の外形に変更を加える必要は無い。上部旋回体３の旋回半径が大きくなることもない。また、作業者は、尿素水タンク３６が領域Ｓ内に設置された状態で、尿素水の補給作業を簡便に行うことができる。尿素水タンク３６は、上部旋回体３の右前部のアクセスし易い位置に設置されているためである。具体的には、作業者は、下部走行体１の上に登るだけで、尿素水タンク３６に尿素水を補給できる。
【００３５】
尿素水タンク３６は、容積拡大部３６１を有していてもよい。容積拡大部３６１は、尿素水タンク３６の容積を拡大するための膨らみである。容積拡大部３６１の個数、形状、大きさ等に制限はなく、適宜状況に応じて決定される。
【００３６】
尿素水タンク３６の給液口には、尿素水を補給するための円筒形状のフィラー３６２が設けられている。図４の例では、フィラー３６２の給液口は、前側（Ｚ１側）へ向かって斜め上を向くように設けられている。
【００３７】
フィラー３６２の給液口は、尿素水タンク３６の給液口よりも高い位置にある。そのため、尿素水タンク３６を尿素水で完全に満たすまで尿素水を補給できる。また、尿素水タンク３６が傾いたとしても、フィラー３６２の円筒形状部分によりフィラー３６２の給液口から尿素水が跳ね出るのを防止できる。フィラー３６２の円筒形状部分は、上方に直線的に延びていてもよいし、図５に示すように湾曲していてもよいし、屈曲していてもよい。屈曲或いは湾曲する場合には、フィラー３６２の給液口から尿素水が跳ね出ることをより効果的に防止できる。また、フィラー３６２の給液口には蓋３６３が設けられている。また、フィラー３６２の円筒形状部分は、角筒形状の保護材３６２ａによって保護されている。保護材３６２ａは、円筒形状等の他の形状であってもよい。保護材３６２ａは省略されてもよい。
【００３８】
尿素水タンク３６は、タンク用ケーシング部１００内に収納されている。タンク用ケーシング部１００は、２つの縦プレート１０１と上面プレート１０２で構成される。縦プレート１０１は、尿素水タンク３６の前面（Ｚ１側の面）と、後面（Ｚ２側の面）のそれぞれに沿って延びる。上面プレート１０２は、２つの縦プレート１０１の上縁部間を繋ぎ、且つ、尿素水タンク３６の上面を覆う。後面（Ｚ２側の面）に沿って延びる縦プレート１０１は、図４では不可視となっている。図４の例では、縦プレート１０１は、その中央部に開口を有する。但し、開口は省略されてもよい。
【００３９】
上面プレート１０２は、円筒形状のフィラー３６２を挿通可能な開口部を有している。また、上面プレート１０２の後側（Ｚ２側）には、尿素水ポンプ３８を固定する支持ブラケット１０３が連結されている。尿素水ポンプ３８は、支持ブラケット１０３に固定されている。なお、図の明確化のため、図５ではタンク用ケーシング部１００及び尿素水ポンプ３８の図示が省略されている。
【００４０】
尿素水ポンプ３８の近傍に位置する尿素水パイプ３９は、カバーフレーム部８０の前側（Ｚ１側）に位置する横フレーム８４及び縦フレーム８１に沿うように設置されている。
【００４１】
また、図５に示すように、尿素水タンク３６は、その底面が燃料タンク２４の底面よりも低くなるように旋回フレーム３００の底板３００ａ上に搭載される。カバー２２の下に収納される尿素水タンク３６の高さをできるだけ高くするためである。
【００４２】
燃料タンク２４は、その底面が旋回フレーム３００を構成する２本の梁部３００ｂの上に位置するように設置されている。梁部３００ｂにより嵩上げされた領域Ｈには、不図示の油圧パイプ等が挿通されていてもよい。
【００４３】
次に図５を参照し、上部旋回体３の右前部を覆うカバー２２について説明する。図５の例では、カバー２２は、上部旋回体３の右前部の上面及び前面を覆う右前面カバー２２Ｆと、上部旋回体３の右側部の右側面を覆う右側面カバー２２Ｒとを含む。図５の例では、右側面カバー２２Ｒは、一点鎖線で示す軸２２ＲＸ周りに開閉（回動）可能に且つ施錠可能に構成されている。図５のドットハッチングで示す図形は、右側面カバー２２Ｒの内側に取り付けられるシール部材２２ＲＰである。シール部材２２ＲＰは、右側面カバー２２Ｒが閉じられたときに、上部旋回体３の右前部の内部を密封する。但し、右側面カバー２２Ｒは、開閉（回動）不能に構成されていてもよく、右前面カバー２２Ｆと一体的に構成されていてもよい。
【００４４】
右前面カバー２２Ｆは作業者が昇降する通路としての機能も有している。右前面カバー２２Ｆは、その外周面に側断面形状が階段形状となるように複数の昇降ステップ２２０、２２１、２２２が形成されている。昇降ステップ２２０、２２１、２２２の上面には滑り止め２２０ａ、２２１ａ、２２２ａがそれぞれ取付けられている。旋回フレーム３００の右側の前端には昇降ステップ３００ｃが取付けられている。昇降ステップ３００ｃの上面、右前面カバー２２Ｆの上面、及び燃料タンク２４の上面には、ハンドレール６０の縦フレームが連結されている。このように、右前面カバー２２Ｆは尿素水タンク３６、コントロールバルブ３７等の上部を覆うカバーとして機能すると共に、作業者が昇降する通路としても機能する。
【００４５】
右前面カバー２２Ｆの前側（Ｚ１側）には開閉可能なドア２２３が取付けられている。ドア２２３は、尿素水タンク３６のフィラー３６２の蓋３６３と対向する位置で横開きとなるように取り付けられている。蓋３６３はドア２２３が開かれると外部に露出した状態となる。作業者は、ドア２２３を開いて蓋３６３を取り外すことで尿素水タンク３６に尿素水を補給できる。
【００４６】
作業者は、例えば、補給用尿素水容器３６Ｘを持って下部走行体１の上に登る。補給用尿素水容器３６Ｘは、補給用の尿素水を収容する持ち運び可能な容器であり、例えば、ポリエチレン製内袋と段ボール製外袋で構成されている。そして、作業者は、補給用尿素水容器３６Ｘを昇降ステップ２２０の上に載せ、補給用尿素水容器３６Ｘのノズルをフィラー３６２の給液口に差し込む。そして、作業者は、補給用尿素水容器３６Ｘを傾けることで、補給用尿素水容器３６Ｘから尿素水タンク３６に尿素水を補給できる。この際、作業者は、レベルゲージ３６Ｇを視認することで、尿素水が許容最大量まで補給されたか否かを容易に確認できる。
【００４７】
ドア２２３は鍵付きであってもよい。蓋３６３への不正なアクセスを防止するためである。この場合、蓋３６３に鍵を取り付ける必要はない。ドア２２３に取り付けられた鍵で蓋３６３への不正なアクセスを防止できるためである。
【００４８】
昇降ステップ２２０の下方には前照灯を収納する前照灯カバー２２０ｂが形成されている。前照灯カバー２２０ｂの前面（Ｚ１側の面）にはルーバが取り付けられている。前照灯は、このルーバを通じて上部旋回体３の前方を照明する。
【００４９】
次に図６を参照し、尿素水タンク３６のレベルゲージ３６Ｇとカバー２２との関係の一例について説明する。図６は、上部旋回体３の右前部を右斜め前の位置から見たときの上部旋回体３の斜視図である。
【００５０】
カバー２２は、第１開口部ＯＰ１と第２開口部ＯＰ２とを有する。第１開口部ＯＰ１は、尿素水タンク３６の給液口に対応する位置に形成される。尿素水タンク３６の給液口に対応する位置は、例えば、フィラー３６２の給液口に対応する位置である。第２開口部ＯＰ２は、尿素水タンク３６のレベルゲージ３６Ｇに対応する位置に形成される。
【００５１】
第１開口部ＯＰ１は、例えば、右前面カバー２２Ｆの前面（Ｚ１側の面）で昇降ステップ２２０よりも高い位置に形成される。そして、第１開口部ＯＰ１は、前方に向かって開口している。厳密には、斜め上方向に向かって開口している。尿素水の補給の際に作業者がフィラー３６２の蓋３６３及びその給液口を容易に視認できるようにするためである。図６の例では、第１開口部ＯＰ１には開閉可能なドア２２３が取付けられている。ドア２２３は、尿素水タンク３６のフィラー３６２の蓋３６３と対向する位置で横開きとなるように取り付けられている。図中の矢印はドア２２３の開き方向を示す。蓋３６３はドア２２３が開かれると外部に露出した状態となる。
【００５２】
第２開口部ＯＰ２は、例えば、右前面カバー２２Ｆの右側面の縁部の凹部として形成される。すなわち、第２開口部ＯＰ２は、右前面カバー２２Ｆと右側面カバー２２Ｒの間の隙間に形成される。図６の例では、右側面カバー２２Ｒには開閉用のドアノブ（ドアハンドル）２２４が取り付けられている。図６の破線（隠れ線）は、右前面カバー２２Ｆの右側面の縁部を示す。右前面カバー２２Ｆの右側面の縁部のうち縦方向（Ｙ軸方向）に延びる部分は、レベルゲージ３６Ｇのところで前面側に凹むように構成されて第２開口部ＯＰ２を形成する。そのため、尿素水タンク３６のレベルゲージ３６Ｇは、右側面カバー２２Ｒが閉じられた状態であっても、第２開口部ＯＰ２を通じて露出した状態となっている。作業者は、右側面カバー２２Ｒが閉じられた状態であっても、第２開口部ＯＰ２を通じて尿素水タンク３６のレベルゲージ３６Ｇを視認できる。すなわち、右側面カバー２２Ｒを開閉することなくレベルゲージ３６Ｇを視認できる。
【００５３】
尿素水タンク３６に尿素水を補給する場合、作業者は、例えば、補給用尿素水容器３６Ｘを持って下部走行体１の上に登る。そして、作業者は、補給用尿素水容器３６Ｘを昇降ステップ２２０の上に載せ、ドア２２３を開いてフィラー３６２の蓋３６３を取り外す。その後、作業者は、補給用尿素水容器３６Ｘのノズルをフィラー３６２の給液口に差し込む。この状態で、作業者は、補給用尿素水容器３６Ｘを傾けることで、補給用尿素水容器３６Ｘから尿素水タンク３６に尿素水を補給できる。この際、作業者は、第２開口部ＯＰ２を通じてレベルゲージ３６Ｇを斜め上から視認することで、尿素水が許容最大量まで補給されたか否かを容易に確認できる。そのため、作業者は、尿素水の補給の際に尿素水タンク３６から尿素水が溢れ出てしまうのを防止できる。
【００５４】
第２開口部ＯＰ２は、右前面カバー２２Ｆの右側面の縁部における凹部として形成される代わりに、右側面カバー２２Ｒの前端部における凹部として形成されてもよい。図７は、第２開口部ＯＰ２が右側面カバー２２Ｒの前端部における凹部として形成された例を示す。この構成においても、作業者は、右側面カバー２２Ｒが閉じられた状態であっても、第２開口部ＯＰ２を通じて尿素水タンク３６のレベルゲージ３６Ｇを視認できる。
【００５５】
図６の例では、第２開口部ＯＰ２は、右前面カバー２２Ｆの右側面の縁部のうち縦方向（Ｙ軸方向）に延びる部分に形成されている。すなわち、第２開口部ＯＰ２は、前方に向かって開口するが、上方に向かっては開口していない。これは、雨水、土砂等が上部旋回体３の右前部の内部に侵入するのを抑制できるという効果を奏する。但し、第２開口部ＯＰ２は、少なくとも部分的には、右前面カバー２２Ｆの右側面の縁部のうち斜めに延びる部分に形成されていてもよい。すなわち、第２開口部ＯＰ２は、少なくとも部分的には、上方に開口していてもよい。この場合、第１開口部ＯＰ１と第２開口部ＯＰ２は、略同じ方向に向かって開口していてもよい。作業者は、右側面カバー２２Ｒが閉じられた状態で、上からレベルゲージ３６Ｇを視認できる。また、作業者は、ほぼ同じ視線の角度で、フィラー３６２の給液口とレベルゲージ３６Ｇとを視認できる。第２開口部ＯＰ２が右側面カバー２２Ｒの端部における凹部として形成される場合についても同様である。
【００５６】
図６の例では、第２開口部ＯＰ２は、右前面カバー２２Ｆと右側面カバー２２Ｒの間の隙間に形成されているが、右側面カバー２２Ｒを貫通する貫通孔として形成されてもよい。例えば、右前面カバー２２Ｆと右側面カバー２２Ｒが一体的に形成される場合、第１開口部ＯＰ１及び第２開口部ＯＰ２は何れもカバー２２を貫通する貫通孔として形成されてもよい。
【００５７】
次に図８を参照し、尿素水タンク３６のレベルゲージ３６Ｇとカバー２２との関係の別の一例について説明する。図８は、上部旋回体３の右前部を右斜め前の位置から見たときの上部旋回体３の斜視図であり、図６及び図７に対応する。
【００５８】
図８のカバー２２は、右前面カバー２２Ｆの前面（Ｚ１側の面）に貫通孔としての第２開口部ＯＰ２を有する点で図６のカバー２２と相違するが、その他の点で共通する。そのため、共通部分の説明を省略し、相違部分を詳細に説明する。
【００５９】
図８の破線（隠れ線）は、図６の場合と同様、右前面カバー２２Ｆの右側面の縁部を示す。図８の例では、右前面カバー２２Ｆと右側面カバー２２Ｒの間に、レベルゲージ３６Ｇを視認できるような隙間が形成されていない。尿素水タンク３６のレベルゲージ３６Ｇは、尿素水タンク３６の左前部に設けられているためである。
【００６０】
そのため、図８の例では、第２開口部ＯＰ２は、尿素水タンク３６の左前部に設けられたレベルゲージ３６Ｇの位置に対応するよう、右前面カバー２２Ｆの前面（Ｚ１側の面）において、前照灯カバー２２０ｂの左側に貫通孔として形成されている。
【００６１】
この構成により、図８のカバー２２は、図６及び図７に示すカバー２２と同様の効果を実現できる。
【００６２】
以上より、本発明の実施形態に係る小旋回型ショベルは、尿素水タンク３６が機体に取り付けられた状態で尿素水タンク３６に尿素水が適切に補給されるようにする。具体的には、本発明の実施形態に係る小旋回型ショベルでは、カバー２２が、尿素水タンク３６の給液口に対応する第１開口部ＯＰ１と、尿素水タンク３６のレベルゲージ３６Ｇに対応する第２開口部ＯＰ２とを有する。そのため、メンテナンス性を改善できる。作業者は、外部から尿素水タンク３６の残量を容易に確認できるためである。また、尿素水タンク３６に尿素水を補給する作業者は、その補給の際に第２開口部ＯＰ２を通じてレベルゲージ３６Ｇを斜め上から視認することで、尿素水が許容最大量まで補給されたか否かを容易に確認できる。そのため、作業者は、尿素水の補給の際に尿素水タンク３６から尿素水が溢れ出てしまうのを防止できる。
【００６３】
カバー２２は、上部旋回体３の右前部を覆う右前面カバー２２Ｆと、上部旋回体３の右側部を覆う右側面カバー２２Ｒとで構成されてもよい。この場合、第１開口部ＯＰ１は、右前面カバー２２Ｆに形成され、第２開口部ＯＰ２は、右前面カバー２２Ｆと右側面カバー２２Ｒの間の隙間に形成される。この構成では、尿素水タンク３６のレベルゲージ３６Ｇは、右側面カバー２２Ｒが閉じられた状態であっても、第２開口部ＯＰ２を通じて露出した状態となっている。そのため、作業者は、右側面カバー２２Ｒが閉じられた状態であっても、第２開口部ＯＰ２を通じて尿素水タンク３６のレベルゲージ３６Ｇを視認できる。すなわち、右側面カバー２２Ｒを開閉することなくレベルゲージ３６Ｇを視認できる。
【００６４】
また、第１開口部ＯＰ１及び第２開口部ＯＰ２は何れも右前面カバー２２Ｆに形成されていてもよい。この場合、右前面カバー２２Ｆと右側面カバー２２Ｒは一体的に形成されていてもよい。この構成においても、尿素水タンク３６のレベルゲージ３６Ｇは、第２開口部ＯＰ２を通じて露出した状態となっている。そのため、作業者は、第２開口部ＯＰ２を通じて尿素水タンク３６のレベルゲージ３６Ｇを視認できる。
【００６５】
また、第１開口部ＯＰ１には鍵付きのドア２２３が取り付けられていてもよい。この構成により、小旋回型ショベルは、フィラー３６２の蓋３６３への不正なアクセスを防止できる。また、蓋３６３が施錠可能である必要はない。ドア２２３を施錠することで蓋３６３への不正なアクセスを防止できるためである。
【００６６】
また、第１開口部ＯＰ１及び第２開口部ＯＰ２は略同じ方向に開口していてもよい。この構成により、操作者は、ほぼ同じ視線の角度で、フィラー３６２の給液口とレベルゲージ３６Ｇとを視認できる。そのため、作業者は、尿素水の補給の際に尿素水タンク３６から尿素水が溢れ出てしまうのをより確実に防止できる。
【００６７】
また、右前面カバー２２Ｆには第１開口部ＯＰ１よりも下方に昇降ステップ２２０が取り付けられていてもよい。より望ましくは、尿素水タンク３６の上面よりも高い位置に昇降ステップ２２０が取り付けられていてもよい。この構成により、作業者は、補給用尿素水容器３６Ｘを昇降ステップ２２０の上に載せた状態で、補給用尿素水容器３６Ｘのノズルをフィラー３６２の給液口に差し込むことができる。そして、作業者は、補給用尿素水容器３６Ｘを傾けることで、補給用尿素水容器３６Ｘから尿素水タンク３６に尿素水を補給できる。この際、作業者は、レベルゲージ３６Ｇを視認することで、尿素水が許容最大量まで補給されたか否かを容易に確認できる。
【００６８】
以上、本発明の好ましい実施形態が詳述された。しかし、本発明は上述の実施形態に限定されるものではない。上述の実施形態は、特許請求の範囲に記載された本発明の範囲内において、種々の変形が可能である。
【００６９】
例えば、上述の実施例では、第２開口部ＯＰ２は、レベルゲージ３６Ｇの全体が露出するように構成されている。尿素水の補給の際に尿素水が許容最大量まで補給されたか否かを作業者が確認できるようにするためである。また、作業者が尿素水の残量を外部から容易に確認できるようにするためである。しかしながら、本発明はこの構成に限定されない。例えば、第２開口部ＯＰ２は、レベルゲージ３６Ｇの上半分が露出するように構成されてもよい。上半分が露出していれば、作業者は、尿素水が許容最大量まで補給されたか否かを確認できるためである。また、第２開口部ＯＰ２の開口面積が小さいほど、雨水、土砂等の内部への侵入が更に抑制されるためである。
【符号の説明】
【００７０】
１・・・下部走行体  ２・・・旋回機構  ３・・・上部旋回体  ４・・・ブーム  ５・・・アーム  ６・・・バケット  ７・・・ブームシリンダ  ８・・・アームシリンダ  ９・・・バケットシリンダ  １０・・・キャビン  １１・・・エンジン  １４・・・ブーム支持ブラケット  １４Ｌ・・・左側ブラケット  １４Ｒ・・・右側ブラケット  ２２・・・カバー  ２２Ｆ・・・右前面カバー  ２２Ｒ・・・右側面カバー  ２２ＲＰ・・・シール部材  ２２ＲＸ・・・軸  ２４・・・燃料タンク  ２６・・・作動油タンク  ２８・・・カウンタウェイト  ３０・・・エンジンフード  ３２・・・通路  ３４・・・作業用足場  ３６・・・尿素水タンク  ３６Ｇ・・・レベルゲージ  ３６Ｘ・・・補給用尿素水容器  ３７・・・コントロールバルブ  ３８・・・尿素水ポンプ  ３９・・・尿素水パイプ  ４０・・・エンジン用冷却器  ４２・・・インタクーラ  ４４・・・エアフィルタ  ５０・・・排ガス処理装置  ６０、７０・・・ハンドレール  ８０・・・カバーフレーム部  ８１、８２・・・縦フレーム  ８３・・・繋ぎフレーム  ８４、８５・・・横フレーム  ９０・・・ＳＣＲカバー  ９２・・・排気筒（マフラー）  １００・・・タンク用ケーシング部  １０１・・・縦プレート  １０２・・・上面プレート  １０３・・・支持ブラケット  ２２０、２２１、２２２、３００ｃ・・・昇降ステップ  ２２０ａ、２２１ａ、２２２ａ・・・滑り止め  ２２０ｂ・・・前照灯カバー  ２２３・・・ドア  ２２４・・・ドアノブ  ３００・・・旋回フレーム  ３００ａ・・・底板  ３００ｂ・・・梁部  ３６１・・・容積拡大部  ３６２・・・フィラー  ３６２ａ・・・保護材  ３６３・・・蓋  ４００・・・ブームフートピン  Ｈ、Ｓ・・・領域  ＯＰ１・・・第１開口部  ＯＰ２・・・第２開口部
【図１】
2018035741.tif 000003
【図２】
2018035741.tif 000004
【図３】
2018035741.tif 000005
【図４】
2018035741.tif 000006
【図５】
2018035741.tif 000007
【図６】
2018035741.tif 000008
【図７】
2018035741.tif 000009
【図８】
2018035741.tif 000010